(57)【要約】      （修正有）【課題】航空機の外面と搭乗ブリッジとの隙間から雨が浸入した場合でも、乗降客等が雨に濡れたり、航空機の出入口扉付近が水浸し状態になったりするのを防止する航空機の出入口扉用雨よけ構造を提供する。【解決手段】航空機の出入口扉用雨よけ構造１０は、航空機１１の出入口扉用開口部１２の上端部１３に着脱自在に設けられる固定部１４と、固定部１４に支持され、固定部１４から外側斜め上方に延出し、航空機１１の外面に密接するように形成されている雨よけ部１５とを備えていることを特徴とする。【選択図】図１
0003153717.tif 000002
【実用新案登録請求の範囲】
【請求項１】
航空機の出入口扉用開口部の上端部に着脱自在に設けられる固定部と、
該固定部に支持され、該固定部から外側斜め上方に延出し、前記航空機の外面に密接するように形成されている雨よけ部と、
を備えていることを特徴とする航空機の出入口扉用雨よけ構造。
【請求項２】
前記雨よけ部の両側に整流板が接続されており、該整流板は前記航空機の出入口扉用開口部の外側まで延出している請求項１に記載の航空機の出入口扉用雨よけ構造。
【請求項３】
前記固定部は横長棒状の柔軟性材料から成り、長手方向に沿ってスリット状に形成される切込部を備えており、前記雨よけ部は横長の板状部材により形成され、前記固定部の切込部に前記雨よけ部の下端部及び前記航空機の出入口扉用開口部の上端部を差し込むことにより、前記固定部は前記雨よけ部を支持した状態で前記航空機の出入口扉用開口部の上端部に固定されるようになっている請求項１又は２に記載の航空機の出入口扉用雨よけ構造。
【請求項４】
前記固定部は円筒形状の断熱材料により形成されており、前記固定部の外周には中空パイプ状の補強材が設けられている請求項１〜３のいずれか１の請求項に記載の航空機の出入口用雨よけ構造。
【請求項５】
前記固定部の左右両端部には前記開口部の上側角部を覆うように曲部が形成されている請求項１〜４のいずれか１の請求項に記載の航空機の出入口扉用雨よけ構造。
【考案の詳細な説明】
【技術分野】
【０００１】
本考案は、航空機の出入口扉用開口部の上方に設けられる雨よけ構造に関するものである。
【背景技術】
【０００２】
従来、空港において航空機に乗降する際、航空機の出入口には出入口扉用開口部の周囲に密着するように搭乗ブリッジが取り付けられ、雨天時でも、乗降客や乗務員が直接、雨に濡れないようになっている。
【考案の概要】
【考案が解決しようとする課題】
【０００３】
しかしながら、上記した従来の搭乗ブリッジでは、航空機の外面と搭乗ブリッジとの間にどうしても僅かな隙間が生じるため、大雨などの場合には、その隙間から雨が浸入し、乗降客等が雨に濡れたり、航空機の出入口扉付近が水浸し状態になったりして、乗降客等に不快感を与えるといった問題があった。
【０００４】
本考案は、上記した課題を解決すべくなされたものであり、航空機の外面と搭乗ブリッジとの隙間から雨が浸入することによって、乗降客等が雨に濡れたり、航空機の出入口扉付近が水浸し状態になったりするのを防止し、乗降客等に不快感を与えるおそれのない航空機の出入口扉用雨よけ構造を提供することを目的とするものである。
【課題を解決するための手段】
【０００５】
上記した目的を達成するため、本考案に係る航空機の出入口扉用雨よけ構造は、航空機の出入口扉用開口部の上端部に着脱自在に設けられる固定部と、該固定部に支持され、該固定部から外側斜め上方に延出し、前記航空機の外面に密接するように形成されている雨よけ部とを備えていることを特徴とする。
【０００６】
そして、本考案に係る航空機の出入口扉用雨よけ構造には、前記雨よけ部の両側に整流板が接続されており、該整流板は前記航空機の出入口扉用開口部の外側まで延出しているのが好ましい。
【０００７】
また、本考案に係る航空機の出入口扉用雨よけ構造において、前記固定部は横長棒状の柔軟性材料から成り、長手方向に沿ってスリット状に形成される切込部を備えており、前記雨よけ部は横長の板状部材により形成され、前記固定部の切込部に前記雨よけ部の下端部及び前記航空機の出入口扉用開口部の上端部を差し込むことにより、前記固定部は前記雨よけ部を支持した状態で前記航空機の出入口扉用開口部の上端部に固定されるようになっているのが好ましい。
【０００８】
さらに、本考案に係る航空機の出入口扉用雨よけ構造において、前記固定部は円筒形状の断熱材料により形成されており、前記固定部の外周には中空パイプ状の補強材が設けられているのが好ましい。
【０００９】
さらにまた、本考案に係る航空機の出入口扉用雨よけ構造において、前記固定部の左右両端部には前記開口部の上側角部を覆うように曲部が形成されているのが好ましい。
【考案の効果】
【００１０】
本考案によれば、航空機の出入口扉用開口部の上端部に設けられた雨よけ部が航空機の外面に密接するように構成されているため、航空機の外面と搭乗ブリッジとの隙間から雨が浸入したとしても、乗降客等が雨に濡れたり、航空機の出入口扉付近が水浸し状態になったりすることを防止することができ、乗降客等に不快感を与えるおそれがない等、種々の優れた効果を得ることができる。
【図面の簡単な説明】
【００１１】
【図１】本考案の実施の形態に係る航空機の出入口扉用雨よけ構造を示す正面図である。
【図２】図１のＡ−Ａ断面図である。
【考案を実施するための形態】
【００１２】
以下、図面を参照しつつ、本考案の実施の形態について説明する。ここで、図１は本考案の実施の形態に係る航空機の出入口扉用雨よけ構造を示す正面図、図２は図１のＡ−Ａ断面図である。
【００１３】
本考案の実施の形態に係る航空機の出入口扉用雨よけ構造１０は、航空機１１の出入口扉用開口部１２の上端部１３に着脱自在に設けられる固定部１４と、固定部１４に支持される雨よけ部１５とを備えて構成されている。
【００１４】
固定部１４は、横長棒状の柔軟性材料から成り、左右方向に直線状に形成される直線部１６と、直線部１６の左右両端にそれぞれ形成される曲部１７Ｌ，１７Ｒとを備えて構成されている。直線部１６には、長手方向に沿ってスリット状の切込部１８が上方に向かって形成されており、曲部１７Ｌ，１７Ｒは開口部１２の上側左右角部をそれぞれ覆うように形成されている。
【００１５】
より具体的には、固定部１４は、曲部１７Ｌ，１７Ｒと一体に成形され、例えば、外径が４０ｍｍ、内径（中空部の外径）が１０ｍｍの円筒形状の断熱材料製であり、直線部１６は開口部１２上部の直線部分と略同一の長さを有し、曲部１７Ｌ，１７Ｒの長さはそれぞれ５０ｃｍ程度の長さを有している。
【００１６】
なお、固定部１４の外周には中空パイプ状の補強材１９が設けられていてもよく、これにより、航空機１１の出入口扉用開口部１２の上端部１３に対する固定部１４の保持力を高めることができる。
【００１７】
雨よけ部１５は、板状部材から成り、その下端部２０が屈曲されて形成されている。雨よけ部１５の下端部２０は固定部１４の切込部１８に挿入可能に形成され、その表面には両面テープ等の接着手段（図示省略）が設けられている。そして、この下端部２０を固定部１４の切込部１８に差し込み、前記接着手段により固定部１４に接着した上で、固定部１４を航空機１１の出入口扉用開口部１２の上端部１３に差し込むと、雨よけ部１５は固定部１４から外側斜め上方に延出した姿勢に保持されるようになっている。具体的には、雨よけ部１５は、例えば厚みが１．０ｍｍ程度のプラスチック板製であり、下端部２０は１８ｍｍ程度の挿入長さを有している。
【００１８】
また、雨よけ部１５の両側にはそれぞれ整流板２１Ｌ，２１Ｒが接続されており、各整流板２１Ｌ，２１Ｒは航空機１１の出入口扉用開口部１２の外側まで延出している。より具体的には、整流板２１Ｌ，２１Ｒは、例えば厚みが１．０ｍｍ程度のプラスチック板製であり、開口部１２の幅より左右方向にそれぞれ１０ｃｍ程度延出するように形成されている。
【００１９】
このような構成を備えた航空機の出入口扉用雨よけ構造１０を取り付ける場合、固定部１４の切込部１８に開口部１２の上端部１３を差し込む。これにより、雨よけ部１５が航空機１１の外面２２に密接するため、大雨などの時に、航空機１１の外面２２と搭乗ブリッジとの隙間を通って雨が流れ落ちたとしても、この雨は雨よけ部１５によって受け止められ、整流板２１Ｌ，２１Ｒを通って開口部１２の左右側方に流れ落ち、搭乗ブリッジの外部に排出される。したがって、大雨などの時に、乗降客や乗務員等が雨に濡れたり、航空機の出入口扉付近が水浸し状態になったりして、乗降客等に不快感を与えるおそれはない。
【００２０】
なお、上記した実施の形態では、整流板２１Ｌ，２１Ｒを設けているが、整流板２１Ｌ，２１Ｒは必ずしも設けなくてもよい。そして、整流板２１Ｌ，２１Ｒを設置しない場合、雨よけ部１５によって受け止められた雨は、曲部１７Ｌ，１７Ｒを通って開口部１２の左右側方に流れ落ち、搭乗ブリッジの外部に排出される。
【００２１】
また、固定部１４の切込部１８の入口部分には、出入口扉用開口部１２の上端部１３や雨よけ部１５の下端部２０が差し込みやすいように面取り２３を設けてもよい。
【００２２】
さらにまた、上記した実施の形態において説明した固定部１４や雨よけ部１５の形状や材質及び寸法等は単なる例示に過ぎず、各種変更が可能であり、例えば、雨よけ部１５等に絵を描いたりして外観の向上を図ることもできる。
【符号の説明】
【００２３】
１０            航空機の出入口扉用雨よけ構造
１１            航空機
１２            開口部
１３            上端部
１４            固定部
１５            雨よけ部
１７Ｌ，１７Ｒ  曲部
１８            切込部
１９            補強材
２０            下端部
２２            外面
【図１】
0003153717.tif 000003
【図２】
0003153717.tif 000004